(57)【特許請求の範囲】
【請求項１】
結合構造と、
第１の補聴器ハウジング部分と、
軟質材料で作られさまざまな耳道サイズに適応可能である第２の補聴器ハウジング部分と、
レシーバとを備え、
前記第２の補聴器ハウジング部分が、前記結合構造を介して前記第１の補聴器ハウジング部分に着脱自在に結合される補聴器であって、
前記第１の補聴器ハウジング部分が、前記レシーバを収容するレシーバホルダを含み、
前記レシーバホルダが内側部分と外側部分とを含み、
前記第１の補聴器ハウジング部分が増幅器を含む補聴器において、
前記結合構造が、前記レシーバホルダの外側部分の少なくとも片側に配置され、
前記レシーバホルダが、前記レシーバホルダの内側部分の少なくとも片側に配置された少なくとも１つの凹部を含み、
前記レシーバが、前記レシーバの少なくとも片側に配置された少なくとも１つの突出部を含み、該少なくとも１つの突出部が、前記少なくとも１つの凹部にはめ込まれて、前記レシーバを前記レシーバホルダ内に固定し、
前記レシーバホルダが、前記レシーバホルダの内側部分のベースに配置されて、前記増幅器と前記レシーバとの間を電気的に接続する少なくとも１つの接触部分を含み、
前記レシーバホルダが、前記第２の補聴器ハウジング部分側から前記レシーバホルダ内への前記レシーバの挿入を可能にする開口を含む
補聴器。
【請求項２】
前記結合構造に、スタッド、フック、複数のねじ山、突出リム、または、ねじが含まれる請求項１記載の補聴器。
【請求項３】
前記第１の補聴器ハウジング部分がさらにマイクロフォンを含む請求項１または２記載の補聴器。
【請求項４】
前記第１の補聴器ハウジング部分がさらに電池を収容する電池室ハウジングを含む請求項１から３いずれか１つに記載の補聴器。
【請求項５】
前記第１の補聴器ハウジング部分が硬質材料を含む請求項１から４のいずれか１つに記載の補聴器。
【請求項６】
前記第２の補聴器ハウジング部分は、前記レシーバから耳への音波の伝達を可能にし、耳垢が前記レシーバに接触するのを阻止する耳垢ガードを含む請求項１から５のいずれか１つに記載の補聴器。
【請求項７】
前記耳垢ガードが前記レシーバホルダに接触し、前記レシーバホルダと同じ軸に沿うように配置されている請求項６記載の補聴器。
【請求項８】
前記第１の補聴器ハウジング部分が、前記第２の補聴器ハウジング部分とは異なる材料で作られている請求項１から７のいずれか１つに記載の補聴器。
【請求項９】
前記補聴器が、挿耳形補聴器、耳道挿入形補聴器、または、完全耳道挿入形補聴器である請求項１から８のいずれか１つに記載の補聴器。
【発明の詳細な説明】
【技術分野】
【０００１】
本発明は、交換可能な差込みキャップを備えた補聴器に関する。
【背景技術】
【０００２】
補聴器は、通常、ユーザの耳の中または後ろに取り付けられて、ユーザのために音を増幅する。よく知られているタイプの補聴器には、耳掛け式（ＢＴＥ）補聴器、挿耳形（ＩＴＥ）補聴器、耳道挿入形（ＩＴＣ）補聴器、完全耳道挿入形（ＣＩＣ）補聴器等が含まれる。
【０００３】
補聴器には、通常、音波を集めるためのマイクロフォン、集めた音波を増幅するための増幅器、及び、拡声器（補聴器の分野ではレシーバと呼ばれる場合もある）を収容することが可能な補聴器ハウジングが含まれている。マイクロフォン、増幅器、及び、拡声器に
電力を供給するため、補聴器には、通常、補聴器ハウジング内に配置されて電池を収容するように構成された電池室ハウジングが含まれている。補聴器には、電池室ハウジングロック機構、または電池室ハウジングの上に配置されて電池への接近を許すかまたは阻止するように構成された電池ドアを含むことも可能である。
【発明の概要】
【発明が解決しようとする課題】
【０００４】
さまざまな実施形態において、嵌め具合をカスタム化し、衛生状態を改善させ、その一方で、補聴器のコスト上昇を最小限に抑える交換可能な差込みキャップを含むことが可能な補聴器を提供することが求められている。
【０００５】
さまざまな実施形態において、全ての補聴器ユーザの耳が独自であることを考慮して、嵌め具合をカスタム化し、例えば、フィードバック、不適当な耳道への嵌めこみなどの問題を回避することが可能な補聴器を提供することが求められる。
【０００６】
さまざまな実施形態において、耳に対する各補聴器の位置に応じて、補聴器に耳垢が堆積する可能性があり、そのため、ある期間にわたって補聴器が非衛生的になる可能性があることを勘案する補聴器を提供することが可能である。さまざまな実施形態において、これが生じる場合に、衛生基準を維持するため補聴器を交換できるようにする補聴器を提供することが求められている。
【課題を解決するための手段】
【０００７】
実施形態の１つは補聴器に関するものである。補聴器には、結合構造と、第１の補聴器ハウジング部分と、軟質材料で作られさまざまな耳道サイズに適応可能である第２の補聴器ハウジング部分が含まれる。第２の補聴器ハウジング部分は、結合構造を介して第１の補聴器ハウジング部分に着脱自在に結合される。第１の補聴器ハウジング部分と第２の補聴器ハウジング部分は、結合構造によって一体になる２つの独立した構成部品とされる。
しかして、本発明によれば、結合構造と、第１の補聴器ハウジング部分と、
軟質材料で作られさまざまな耳道サイズに適応可能である第２の補聴器ハウジング部分と、レシーバとを備え、前記第２の補聴器ハウジング部分が、前記結合構造を介して前記第１の補聴器ハウジング部分に着脱自在に結合される補聴器であって、
前記第１の補聴器ハウジング部分が、レシーバを収容するレシーバホルダを含み、前記レシーバホルダが内側部分と外側部分とを含み、前記第１の補聴器ハウジング部分が増幅器を含む補聴器において、
前記結合構造が、前記レシーバホルダの外側部分の少なくとも片側に配置され、
前記レシーバホルダが、前記レシーバホルダの内側部分の少なくとも片側に配置された少なくとも１つの凹部を含み、
前記レシーバが、前記レシーバの少なくとも片側に配置された少なくとも１つの突出部を含み、該少なくとも１つの突出部が、前記少なくとも１つの凹部にはめ込まれて、前記レシーバを前記レシーバホルダ内に固定し、
前記レシーバホルダが、前記レシーバホルダの内側部分のベースに配置されて、前記増幅器と前記レシーバとの間を電気的に接続する少なくとも１つの接触部分を含み、
前記レシーバホルダが、前記第２の補聴器ハウジング部分側から前記レシーバホルダ内への前記レシーバの挿入を可能にする開口を含む
補聴器が提案される（請求項１）。
補聴器に関する本願発明の実施態様は次の通りである。
・前記結合構造に、スタッド、フック、複数のねじ山、突出リム、または、ねじが含まれる（請求項２）。
・前記第１の補聴器ハウジング部分がさらにマイクロフォンを含む（請求項３）。
・前記第１の補聴器ハウジング部分がさらに電池を収容する電池室ハウジングを含む（請求項４）。
・前記第１の補聴器ハウジング部分が硬質材料を含む（請求項５）。
・前記第２の補聴器ハウジング部分は、前記レシーバから耳への音波の伝達を可能にし、耳垢が前記レシーバに接触するのを阻止する耳垢ガードを含む（請求項６）。
・前記耳垢ガードが前記レシーバホルダに接触し、前記レシーバホルダと同じ軸に沿うように配置されている（請求項７）。
・前記第１の補聴器ハウジング部分が、前記第２の補聴器ハウジング部分とは異なる材料で作られている（請求項８）。
・前記補聴器が、挿耳形補聴器、耳道挿入形補聴器、または、完全耳道挿入形補聴器である（請求項９）。
【０００８】
実施形態の１つにおいて、第１の補聴器ハウジング部分は「シェル」と呼ばれる。
【０００９】
実施形態の１つでは、第１の補聴器ハウジング部分には、レシーバを収容するように構成されたレシーバホルダが含まれる。レシーバホルダは、第１の補聴器ハウジング部分と同じかもしくは異なる材料で作ることが可能である。レシーバホルダは、レシーバを収容するためレシーバの寸法よりわずかに大きい寸法を備えることが可能である。レシーバホルダは、矩形の形状、あるいは、レシーバの形状に対応する形状とすることもできる。レシーバホルダは、ユーザ及び設計の要求に応じて、任意の他の形状、あるいは、任意の適合する寸法とすることもできる。
【００１０】
実施形態の１つでは、レシーバホルダは内側部分と外側部分を備えられている。第２の補聴器ハウジング部分も、内側部分と外側部分を備えることができる。
【００１１】
実施形態の１つでは、結合構造は、レシーバホルダの外側部分の少なくとも片側に配置される。一例として、結合構造は、レシーバホルダの外側部分の両側に配置することも可能である。両側にある結合構造は、同じかまたは異なる軸に沿ってアライメントをとることが可能である。
【００１２】
実施形態の１つでは、結合構造は、スタッド、フック、複数のねじ山、突出リム、または、ねじを備える。一例として、結合構造は、各スタッドまたはフックがレシーバホルダの外側部分の片側に位置するようにして、２つのスタッドまたはフックを備えることが可能であり、第２の補聴器ハウジング部分は、各キャッチが第２の補聴器ハウジング部分の内側部分の片側に位置するようにして、２つのキャッチを備えることが可能であり、その結果、第２の補聴器ハウジング部分をスタッドまたはフックとキャッチを介してレシーバホルダに着脱自在に結合することが可能になる。さらに、結合構造は、複数のねじがレシーバホルダの外側部分のほぼ全長に沿って配置されるように複数のねじ山を備えることが可能であり、第２の補聴器ハウジング部分は、対応する複数のねじ山が第２の補聴器ハウジング部分の内側部分に配置されるように対応する複数のねじ山を備えることが可能であり、その結果、第２の補聴器ハウジング部分を複数のねじ山と対応する複数のねじ山を介してレシーバホルダに着脱自在に結合するように構成することが可能になる。結合構造は、レシーバホルダの外側部分のまわりに突出リムを備えることが可能である。第２の補聴器ハウジング部分は、第２の補聴器ハウジング部分の内側部分に位置する対応する溝または凹部を備えることが可能である。溝または凹部は、突出リムと係合し、第２の補聴器ハウジング部分をレシーバホルダに着脱自在に結合するように構成することが可能である。さらに、結合構造は、第２の補聴器ハウジング部分から第１の補聴器ハウジング部分まで、または、第１の補聴器ハウジング部分から第２の補聴器ハウジング部分まで届くことが可能なねじを備えることが可能である。結合構造は、ユーザ及び設計の要求に応じて任意の他の機構を備えることができる。
【００１３】
実施態様の１つでは、レシーバホルダは、さらに、レシーバホルダの内側部分の少なくとも片側に配置された少なくとも１つの凹部を備えられている。一例として、レシーバホルダは、さらに、レシーバホルダの内側部分の両側に配置された２つの凹部を備えることも可能である。両側にある２つの凹部は、同じかもしくは異なる軸に沿ってアライメントをとることができる。さらに、２つの凹部のそれぞれは、盲穴とすることが可能であり、レシーバホルダのそれぞれの側の厚さ未満の深さとすることができる。あるいはまた、２つの凹部のそれぞれは、レシーバホルダのそれぞれ対応する側に形成された貫通孔とすることも可能である。
【００１４】
実施形態の１つでは、補聴器は、さらに、レシーバを備える。レシーバは矩形の形状とすることが可能である。
【００１５】
実施形態の１つでは、補聴器には、さらに、レシーバの少なくとも片側に配置された少なくとも１つの突出部分を備え、少なくとも１つの突出部分は、少なくとも１つの凹部にはめ込まれて、レシーバホルダ内にレシーバを固定するように構成される。それぞれレシーバの両側に配置された、２つの突出部分を設けることが可能である。２つの突出部分のそれぞれはスタッドとすることが可能である。
【００１６】
実施形態の１つでは、レシーバホルダにおける各凹部は、レシーバにおける各突出部分の形状に対応する形状を有する。対応する各凹部は、対応する各突出部分の寸法よりわずかに大きい寸法を有しているので、対応する各凹部に対応する各突出部分をはめ込むことができる。突出部分及び凹部の数及び寸法は、ユーザ及び設計の要求事項に応じて変わる可能性がある。
【００１７】
実施形態の１つでは、補聴器は、さらに、マイクロフォンを備える。
【００１８】
実施形態の１つでは、補聴器は、さらに、電池を収容するように構成された電池室を備える。
【００１９】
実施形態の１つでは、補聴器は、さらに、増幅器を備える。
【００２０】
実施形態の１つでは、レシーバは、レシーバホルダ内に配置される。マイクロフォン、電池室、及び、増幅器は、第１の補聴器ハウジング部分内に配置することが可能である。
【００２１】
実施形態の１つでは、レシーバホルダは、さらに、増幅器とレシーバとの間の伝達を可能にするため、レシーバホルダの内側部分のベースに配置された少なくとも１つの接触部分を備える。レシーバホルダは、レシーバホルダの内側部分のベースに配置された２つの接触部分を備えることが可能である。接触部分の数及び位置は、ユーザ及び設計の要求事項に応じて変わる可能性がある。
【００２２】
実施形態の１つでは、レシーバホルダは、さらに、レシーバをレシーバホルダに挿入できるように開口を備える。開口の寸法は、挿入されるレシーバの少なくとも片側よりわずかに大きくすることが可能である。
【００２３】
実施形態の１つでは、第１の補聴器ハウジング部分は、硬質材料を含む。第１の補聴器ハウジング部分は、プラスチック材料か、もしくは、第１の補聴器ハウジング部分に収容された構成部品の覆いとしての働きをするのに適した任意の他の材料を含むことが可能である。
【００２４】
実施形態の１つでは、第２の補聴器ハウジング部分は、レシーバから耳への音波の伝達を可能にし、耳垢がレシーバに接触するのを阻止する透過性の隔膜を備える。透過性の隔膜は、「耳垢ガード」と呼ばれる場合もある。透過性の隔膜は、レシーバから耳への音波の伝達を可能にし、耳垢がレシーバに接触するのを阻止するようなサイズを付与された複数の孔を有する材料を含むことが可能である。第２の補聴器ハウジング部分は、金網デザインまたは任意の他の適合する耳垢除けシステムを備えることができる。
【００２５】
実施形態の１つでは、透過性の隔膜は、レシーバホルダと接触し、レシーバホルダと同じ軸に沿うように配置される。透過性の隔膜は、レシーバホルダの開口と接触するように配置することが可能である。
【００２６】
実施形態の１つでは、第１の補聴器ハウジング部分は、第２の補聴器ハウジング部分とは異なる材料で作られる。第２の補聴器ハウジング部分は、軟質ゴム材料を含むことが可能であり、これにより、第２の補聴器ハウジング部分をさまざまな耳道サイズに適応させ、第１の補聴器ハウジング部分に結合させることが可能になる。
【００２７】
実施形態の１つでは、補聴器は、挿耳形（ＩＴＥ）補聴器、耳道挿入形（ＩＴＣ）補聴器、または、完全耳道挿入形（ＣＩＣ）補聴器とされる。
【００２８】
図面中、同じ参照番号は、一般に図全体を通じて同じ部分を表わしている。図面は、必ずしも一定の比率で描かれているわけではなく、さまざまな実施形態の原理を例示することが重視されている。下記において、さまざまな実施形態が後掲の図面に関連して説明される。
【図面の簡単な説明】
【００２９】
【図１】実施形態の１つによる耳内に配置された補聴器を示す図である。
【図２】実施形態の１つによるスタッド結合構造が開位置にある補聴器の正面図である。
【図３】実施形態の１つによるスタッド結合構造が閉位置にある補聴器の正面図である。
【図４】実施形態の１つによるフック結合構造が閉位置にある補聴器の正面図である。
【図５】実施形態の１つによるレシーバホルダの正面図である。
【図６】実施形態の１つによるレシーバホルダの平面図である。
【図７】実施形態の１つによる突出リム結合構造が開位置にある補聴器の正面図である。
【発明を実施するための形態】
【００３０】
図１には、実施形態の１つによる耳１０４内に配置された補聴器１０２が示されている。例として、図１には、耳１０４への挿耳形（ＩＴＥ）補聴器１０２の挿入が示されており、挿入方向は矢印１５４にて示されている。図１には、内耳１０６及び中耳１０８と、挿入状態における内耳１０６及び中耳１０８に対する補聴器１０２の相対位置が示されている。
【００３１】
補聴器１０２は、結合構造（図示せず）、第１の補聴器ハウジング部分１１０、及び、さまざまな耳道サイズに適応することができるように軟質材料で作られている第２の補聴器ハウジング部分１１２を備える。第２の補聴器ハウジング部分１１２は、結合構造を介して第１の補聴器ハウジング部分１１０に着脱自在に結合される。
【００３２】
実施形態の１つでは、第２の補聴器ハウジング部分１１２は、第１の補聴器ハウジング部分１１０より先に、最初に耳に挿入される補聴器ハウジング部分とすることが可能である。換言すれば、挿入状態において、第２の補聴器ハウジング部分１１２は、第１の補聴器ハウジング部分１１０よりも内耳１０６及び中耳１０８の近くに配置される。
【００３３】
図２には、実施形態の１つによるスタッド結合構造１１４が開位置にある補聴器１０２の正面図が示されており、図３には、実施形態の１つによるスタッド結合構造１１４が閉位置にある補聴器１０２の正面図が示されている。一例として、図２及び図３には、ＩＴＥ補聴器１０２が示されている。
【００３４】
補聴器１０２は、結合構造１１４、第１の補聴器ハウジング部分１１０、及び、さまざまな耳道サイズに適応することができるように軟質材料で作られている第２の補聴器ハウジング部分１１２を備え、第２の補聴器ハウジング部分１１２は、結合構造１１４を介して第１の補聴器ハウジング部分１１０に着脱自在に結合される。
【００３５】
第１の補聴器ハウジング部分１１０は、レシーバ１２６を収容するように構成されたレシーバホルダ１１６を備える。レシーバホルダ１１６は、内側部分１１８と外側部分１２０を備える。
【００３６】
結合構造１１４は、２つのスタッド１２２を備え、各スタッド１２２は、レシーバホルダ１１６の外側部分１２０の両側に配置することが可能である。
【００３７】
第２の補聴器ハウジング部分１１２は、２つのキャッチ１５０を備え、各キャッチ１５０が第２の補聴器ハウジング部分１１２の内側部分１５２の両側に位置するようにして、第２の補聴器ハウジング部分１１２をそれぞれのスタッド１２２とキャッチ１５０を介してレシーバホルダ１１６に着脱自在に結合される。
【００３８】
レシーバホルダ１１６は、さらに、レシーバホルダ１１６の内側部分１１８の両側に配置された２つの凹部１２４を備える。
【００３９】
補聴器１０２は、さらにレシーバ１２６を備える。
【００４０】
補聴器１０２は、さらに、それぞれレシーバ１２６のそれぞれの側に配置され、各凹部１２４にはめ込まれて、レシーバホルダ１１６内にレシーバ１２６を固定するように構成された２つの突出部分またはスタッド１２８を備える。
【００４１】
補聴器１０２は、さらに、マイクロフォン１３０、電池１３４を収容するように構成された電池室ハウジング１３２、及び、増幅器１３６を備える。実施形態の１つでは、レシーバ１２６は、レシーバホルダ１１６内に配置することも可能である。マイクロフォン１３０、電池室ハウジング１３２、及び、増幅器１３６は、補聴器１０２内に、例えば、第１の補聴器ハウジング部分１１０内に配置することが可能である。
【００４２】
レシーバホルダ１１６は、さらに、レシーバホルダ１１６の内側部分１１８のベースに配置された２つの接触部分１３８を備える。２つの接触部分１３８は、それぞれの増幅器１３６とレシーバ１２６に接触する。２つの接触部分１３８は導通し、増幅器１３６とレシーバ１２６の間を電気的に接続する。
【００４３】
レシーバホルダ１１６は、さらに、レシーバ１２６をレシーバホルダ１１６に挿入できるようにするため、開口１４０を備える。レシーバホルダ１１６へのレシーバ１２６の挿入方向は、図２に示す矢印１４２によって表示されているとおりである。
【００４４】
第１の補聴器ハウジング部分１１０は、プラスチックのような硬質材料を含む。第１の補聴器ハウジング部分１１０は、レシーバ１２６、マイクロフォン１３０、電池室ハウジング１３２、及び、増幅器１３６のハウジングとして機能し、比較的弾性の材料とすることも可能である。
【００４５】
第２の補聴器ハウジング部分１１２は、レシーバ１２６から耳への音波の伝達を可能にし、耳垢がレシーバ１２６に接触するのを阻止するように構成された透過性の隔膜１４４を備える。透過性の隔膜１４４は、「耳垢ガード」とも呼ばれる。
【００４６】
透過性の隔膜１４４は、図２において矢印１４６で示すように、第２の補聴器ハウジング部分１１２をレシーバホルダ１１６に接触させると、レシーバホルダ１１６と接触し、レシーバホルダ１１６と同じ軸に沿うように配置することができる。
【００４７】
第１の補聴器ハウジング部分１１０は、第２の補聴器ハウジング部分１１２とは異なる材料で作ることが可能である。第２の補聴器ハウジング部分１１２は、第２の補聴器ハウジング部分１１２がユーザの耳道になじむことができるように軟質材料で作られる。軟質材料には、ゴム材料、スポンジ材料、シリコンゴム材料、ポリマ材料、ゴムに似た材料、耳栓材料、または、任意の他の適合する材料を含む。第２の補聴器ハウジング部分１１２に用いられる材料は、第１の補聴器ハウジング部分１１０に用いられる材料よりも軟質で、なじみやすいものとされる。第１の補聴器ハウジング部分１１０に採用される材料は、第１の補聴器ハウジング部分１１０をそれに収容される構成部品のシールドとして働くのに適したものであり、第２の補聴器ハウジング部分１１２に採用される材料は、第２の補聴器ハウジング部分１１２をなじみやすく、使い捨てに適したものである。第１の補聴器ハウジング部分１１０には、立体リソグラフィ材料を含むことも可能である。
【００４８】
図４には、実施形態の１つによるフック結合構造１１４が閉位置にある補聴器１０２の正面図が示されている。図４の補聴器１０２は、図３の補聴器１０２と同様であるが、図４の補聴器１０２が、図３に示すように２つのスタッド１２２ではなく、２つのフック１４８を結合構造１１４として採用している点に、相違を見ることができる。各フック１４８は、第２の補聴器ハウジング部分１１２のキャッチ１５０をレシーバホルダ１１６に着脱自在に結合することができるように、レシーバホルダ１１６に対して角度をつけて配置されている。２つのフック１４８は、レシーバホルダ１１６の両側に配置されている。
【００４９】
図５には、実施形態の１つによるレシーバホルダ１１６の正面図が示され、図６には、実施形態の１つによるレシーバホルダ１１６の平面図が示されている。
【００５０】
補聴器１０２は、第１の補聴器ハウジング部分１１０とレシーバ１２６を備える。第１の補聴器ハウジング部分１１０は、レシーバ１２６を収容するように構成されたレシーバホルダ１１６を備える。
【００５１】
レシーバホルダ１１６は、内側部分１１８と外側部分１２０を備える。
【００５２】
レシーバホルダ１１６は、さらに、それぞれレシーバホルダ１１６の内側部分１１８の両側に配置された２つの凹部１２４を備える。
【００５３】
補聴器１０２は、さらに、レシーバ１２６の両側に配置された２つの突出部１２８を備え、各突出部１２８は、各凹部１２４にはめ込まれて、レシーバ１２６をレシーバホルダ１１６内に固定するように構成されている。２つの突出部１２８のそれぞれは、ゴム材料製のスタッドを備えることが可能である。
【００５４】
レシーバホルダ１１６は、さらに、レシーバホルダ１１６の内側部分１１８のベースに配置された２つの接触部分１３８を備えることが可能である。２つの接触部分１３８は、それぞれの増幅器（図示せず）とレシーバ１２６に接触することが可能である。２つの接触部分１３８によって、導通し、増幅器とレシーバ１２６の間を電気的に接続できるようにすることが可能になる。
【００５５】
レシーバホルダ１１６は、さらに、レシーバホルダ１１６へのレシーバ１２６の挿入を可能にする開口１４０を備える。
【００５６】
図７には、実施形態の１つによる突出リム結合構造１１４が開位置にある補聴器１０２の正面図が示されている。図７の補聴器１０２は、図２の補聴器１０２と同様であるが、その相違は、図７の補聴器１０２が、図２に示すような２つのスタッド１２２ではなく、突出リム１５６を結合構造１１４として採用することができる点にある。突出リム１５６は、レシーバホルダ１１６の外側部分１２０を包囲することもできるし、あるいは、レシーバホルダ１１６の外側部分１２０を部分的にのみ包囲することも可能である。
【００５７】
さらに、第２の補聴器ハウジング部分１１２は、第２の補聴器ハウジング部分１１２の内側部分１５２に配置された対応する溝または凹部１５８を備える。溝または凹部１５８は、突出リム１５６に係合して、第２の補聴器ハウジング部分１１２をレシーバホルダ１１６に着脱自在に結合できるように構成される。
【００５８】
突出リム１５６及び対応する溝または凹部１５８は、円形の形状とするか、もしくは、レシーバホルダ１１６または第２の補聴器ハウジング部分１１２の形状に対応する任意の適合する形状とすることも可能である。
【００５９】
本発明については、とりわけ、特定の実施形態に関連して示し、説明してきたが、当業者には当然明らかなように、添付の請求項によって規定された本発明の趣旨及び範囲を逸脱することなく、さまざまな形態及び細部の変更を施すことが可能である。本発明の範囲は、従って、添付の請求項によって示されており、請求項の意味するところに含まれるか、請求項の同等物の範囲内にある変更は、全て包含されるものとする。
【符号の説明】
【００６０】
１０２  補聴器
１０４  耳
１０６  内耳
１０８  中耳
１１０  第１の補聴器ハウジング部分
１１２  第２の補聴器ハウジング部分
１１４  結合構造
１１６  レシーバホルダ
１１８  レシーバホルダの内側部分
１２０  レシーバホルダの外側部分
１２２  スタッド
１２４  凹部
１２６  レシーバ
１２８  スタッド
１３０  マイクロフォン
１３２  電池室ハウジング
１３４  電池
１３６  増幅器
１３８  接触部分
１４０  開口
１４４  透過性の隔膜
１５０  キャッチ
１５６  突出リム
１５８  凹部
【図１】
0005627679.tif 000002
【図２】
0005627679.tif 000003
【図３】
0005627679.tif 000004
【図４】
0005627679.tif 000005
【図５】
0005627679.tif 000006
【図６】
0005627679.tif 000007
【図７】
0005627679.tif 000008